(57)【要約】      （修正有）【課題】ショルダーベルトを使用せず、手でもって運搬し易い家庭電化製品の運搬用シートを提供する。【解決手段】長方形シート本体１の四隅に第１のループ状取手ベルト２を設ける。四隅で持ち上げると、シート本体全体を袋状として安定した持ち上げ状態となる。第１の各取手ベルトから所要距離内側のシート本体の長辺側縁にそれぞれ第２のループ状取手ベルト３を設ける。被運搬物が小さい場合、この第２の取手ベルトで持ち上げる。シート本体の被運搬物載置面には無数の樹脂製滑り止め突起７を設けて滑り難くする。各取手ベルトは、手を入れて甲に巻き付け、巻き付けた部分からシート本体に固定された部分までを手で握ることができる長さとする。荷重を手の甲で支えて容易に抜けでないようにすることができ、安定した持ち上げ状態を維持できる。【選択図】図１
0003191968.tif 000002
【実用新案登録請求の範囲】
【請求項１】
長方形のシート本体（１）と、その四隅に設けた第１のループ状取手バンド（２）と、その第１の各取手ベルト（２）から所要距離内側の前記シート本体（１）の長辺側縁にそれぞれ設けられた第２のループ状取手ベルト（３）とからなり、
上記シート本体（１）の家庭電化製品等の載置面は、樹脂製の滑り止め突起（７）が無数に設けられており、上記各取手ベルト（２、３）は、手を入れてその手の甲に巻き付けると共に上その巻き付けた部分から前記シート本体（１）に固定された部分までを前記手で握ることができる長さとなっていることを特徴とする家庭電化製品等の運搬用シート。
【請求項２】
上記シート本体（１）の四辺には、上記取手ベルト（２）と同質のベルト（６）が全長に亘って連続的に縫合され、その縁ベルト（６）に、上記各取手ベルト（２、３）が縫合によって固定されていることを特徴とする請求項１に記載の家庭電化製品等の運搬用シート。
【請求項３】
上記各取手ベルト（２、３）は、その端をクロスしてシート本体（１）の縁に固定されていることを特徴とする請求項１又は２に記載の家庭電化製品等の運搬用シート。
【請求項４】
上記シート本体（１）は、横幅：７０ｍｍ、縦幅：１８００ｍｍであることを特徴とする請求項１〜３の何れか１つに記載の家庭電化製品運搬用シート。
【考案の詳細な説明】
【技術分野】
【０００１】
この考案は、主に、家庭電化製品の運搬用シートに関するものである。
【背景技術】
【０００２】
テレビジョン、冷蔵庫、洗濯機等の家庭電化製品や家具等は、その運搬や家屋への搬入時等においては、その周りを養生シートで覆い、各製品の取手穴に手を掛けたり、その下部の角を持ったりして運搬するのが一般的である（特許文献２、第９図参照）。
しかし、それらは重量物であるため、その養生（運搬）シートに、ショルダーベルトを設け、そのベルトを肩掛けしたり（特許文献１、第２図、特許文献２、図４、特許文献３〜５参照）、さらに、養生シートの長辺の取手バンドに補助者が手を掛けたりしている（特許文献１、特許文献４，特許文献５参照）。
【先行技術文献】
【特許文献】
【０００３】
【特許文献１】実開昭６１−１９１３０８号公報
【特許文献２】特開平０３−２０５２０４号公報
【特許文献３】特開２００２−２８４２２３号公報
【特許文献４】特開２００４−１０７０４９号公報
【特許文献５】意匠登録第１１８０９２２号公報
【考案の概要】
【考案が解決しようとする課題】
【０００４】
ショルダーベルトは、重量物の運搬にはそれなりに有効であるが、そのベルトが長いため、始末が悪い上に、そのショルダーベルトを使用しないで、運搬すると、そのベルトに足が引っかかる等の危険がある。
【０００５】
この考案は、以上の実状の下、ショルダーベルトを使用せず、手でもって運搬しやすいようにすることを課題とする。
【課題を解決するための手段】
【０００６】
上記課題を達成するため、この考案は、まず、従来の養生シートと同様な長方形のシート本体の四隅（角）に第１のループ状取手バンドを設けたのである。四隅で持ち上げると、シート本体全体を袋状として安定した持ち上げ状態となるからである。
【０００７】
つぎに、その第１の各取手ベルトから所要距離内側の前記シート本体の長辺側縁にそれぞれ第２のループ状取手ベルトを設けたのである。シート本体に比べて被運搬物が小さく、そのシート本体に被運搬物を載置した際、第１の取手ベルトが高い所に位置すると、持ち上げ難いため、第２の取手ベルトに手を掛けて持ち上げる。このため、前記所要距離は、この運搬用シートで運搬する家庭電化製品等の大きさの度合いによって適宜に決定する。
【０００８】
さらに、シート本体の家庭電化製品等の載置面には樹脂製の滑り止め突起を無数に設けたものとしたのである。従来のシートは、製品を傷つけるのを防止することが主な目的であったため、滑り止め機能が高くなかったから、その突起によって滑り止め機能の向上を図ったのである。
【０００９】
また、上記各取手ベルトは、手を入れてその手の甲に巻き付けると共にその巻き付けた部分から前記シート本体に固定された部分までを前記手で握ることができる長さとしたのである。このようにすれば、荷重は手の甲で支えて容易に抜けでないようにすることができ、安定した持ち上げ状態を維持できる。単に、取手ベルトを握りしめた持ち上げ状態であると、握力の低下やベルトとの滑り等によって手からベルトが外れ、製品が落下する等の事故が発生するからである。
【００１０】
この考案の構成としては、長方形のシート本体と、その四隅に設けた第１のループ状取手バンドと、その第１の各取手ベルトから所要距離内側の前記シート本体の長辺側縁にそれぞれ設けられた第２のループ状取手ベルトとからなり、前記シート本体の家庭電化製品等の載置面は、樹脂製の滑り止め突起が無数に設けられており、前記各取手ベルトは、手を入れてその手の甲に巻き付けると共にその巻き付けた部分から前記シート本体に固定された部分までを前記手で握ることができる長さとなっている構成を採用することができる。
【００１１】
この構成において、上記シート本体の四辺には、上記取手ベルトと同質のベルトが全長に亘って連続的に縫合されるとともに、その縁ベルトに、上記各取手ベルトが縫合によって固定されている構成とすることができる。取手ベルトは、通常、ポリエステル燃糸をシートベルト状に織ったもの等が使用されて、耐摩耗性、耐引張り性等が高いため、そのベルトがシート本体の四辺全長、すなわち全周に縫合されておれば、シート本体の強度が増すとともに、その周縁のベルトに取手ベルトが縫合されていることによって、シート本体と取手ベルトとの一体性強度も高く、安定した持ち上げ状態を担保できる。
【００１２】
上記各取手ベルトは、その端をクロスしてシート本体の縁に固定すると、取手ベルトによる持ち上げ力は、シート本体の縁に沿って作用するため、シート本体の長方形状態が大きく崩れることなく、安定した持ち上げ状態となる。
上記シート本体は、横幅：７００ｍｍ、縦幅：１８００ｍｍとするとよい。今日の洗濯機、中型冷蔵庫、マッサージ機等の日本の屋内家庭電化製品の多くは、日本の住宅事情に合わせ、７０ｃｍ（７００ｍｍ）程度に収まるように設計されているからである。なお、この場合の「７００ｍｍ」、「１８００ｍｍ」は、その数値に限定されるのではなく、日本の住宅事情に合った範囲を許容するものとする。
【考案の効果】
【００１３】
この考案は、以上のように構成したので、家庭電化製品や家具等の重量物を、手でもって円滑かつ安全に運搬（搬入）することができる。
【図面の簡単な説明】
【００１４】
【図１】この考案に係わる運搬用シートの一実施形態を示し、（ａ）は表面からの斜視図、（ｂ）は裏面からの斜視図
【図２】同実施形態の一部切断正面図
【図３】同実施形態の裏面から見た部分拡大斜視図
【図４−１】同実施形態の運搬用シートによる洗濯機の運搬作業説明図
【図４−２】同洗濯機の運搬作業説明図
【図５−１】同運搬用シートによるマッサージ機の運搬作業説明図
【図５−２】同マッサージ機の運搬作業説明図
【図５−３】同マッサージ機の運搬作業説明図
【図６】同運搬用シートによる冷蔵庫の運搬作業説明図
【図７】同運搬用シートによるブラウン管テレビジョンの運搬説明図
【図８】同運搬用シートの取手ベルトへの手の掛け方説明図
【考案を実施するための形態】
【００１５】
この考案に係わる運搬用シート（搬入ケアパッド）Ｐの一実施形態を図１、図２に示し、この運搬用シートＰは、長方形のシート本体１と、その四隅に設けた第１のループ状取手バンド２と、その第１の各取手ベルト２から所要距離内側の前記シート本体１の長辺側縁にそれぞれ設けられた第２のループ状取手ベルト３とからなる。
シート本体１は、従来の養生シートと同様に、表地１ａ、裏地１ｂ及び両生地間に充填された綿状介在物１ｃからなり、その三者１ａ、１ｂ、２ｃをキルティング４によって縫合して一体にし、その周縁に縁布５を縫合している。
【００１６】
表裏地１ａ、１ｂ、縁布５は、耐摩耗性等を考慮して適宜な生地、例えば、ポリエステル生地を使用し、裏地１ｂは床面を痛めない柔らかく強い生地として滑りやすく（スリップし易く）する。一方、表地１ａの表面にはウレタンからなる直径２ｍｍ程度の滑り止め突起７を無数に設けて滑り難く（ノンスリップと）している（図２参照）。従来は、表地１ａの糸状繊維の表面にウレタンがコーティングされたのみであったため、その糸状繊維は切れやすく耐久性に問題があったが、この実施形態においては、さらに、滑り止め突起７を設けて、耐久性及び滑り止め効果を高めている（向上させている）。
【００１７】
また、シート本体１の裏面四辺（全周）には、取手ベルト２、３と同質のベルト６が全長に亘って連続的に縫合されている。そのベルト６と第１の各取手ベルト２は連続した１本ものとしたり、第１の取手ベルト２から第２の取手ベルト３までを連続した１本ものとし、その第２の取手ベルト３からつぎに第２の取手ベルト３までを連続した１本ものとしたり、第２の取手ベルト３から第１の取手ベルト２までを連続した１本ものとしたりすることができる。このように、各ベルト２、３、６をできるだけ連続した１本もので構成すると、それらのベルトのシート本体１への固定強度を増すことができる。
【００１８】
取手ベルト２、３は、ポリエステル燃糸をシートベルト状に織ったものであり、その端をクロスしてシート本体１の縁に固定されている（図１（ｂ）、図３参照）。その固定は、井（イガタ）形状４ａに縫合することによっているため、強固なものとなっている。特に、第１の取手ベルト２は、その両端をクロスさせそれぞれシート本体１の辺に沿う方向に向かせてシート本体２の隅に井形状４ａに縫合しているため（図３）、この第１の取手ベルト２でもって家庭電化製品等を持ち上げた際、その持ち上げ力がシート本体１の辺に沿って働くため、その持ち上げ状態が安定する。
また、取手ベルト２、３は、手を入れてその手の甲に巻き付けると共にその巻き付けた部分から前記シート本体１に固定された部分までを手で握ることができる長さとしている（図３、図８参照）。この実施形態では、シート本体１への縫合部分を除いたループ長を約３０ｃｍとした。
【００１９】
第２の取手ベルト３は、第１の取手ベルト２から内側、約１３ｃｍ（両ベルト２、３の井形状縫合４ａの中心点間距離）の位置に固定されている。なお、この第２の取手ベルト３は適宜に省略したり、一方のみを設けたりすることができる（図４−１の（ａ）、（ｂ）参照）。
【００２０】
この実施形態の運搬用シートＰは以上の構成であり、洗濯機Ａ、マッサージ機Ｂ及び冷蔵庫Ｃ等を運搬（搬入）する場合について以下に説明する。
【００２１】
その洗濯機Ａの運搬態様を図４−１、同２に示し、まず、図１（ａ）のように、このシートＰを敷いた状態、又は洗濯機Ａを少し傾けたり、持ち上げたりして、洗濯機ＡをこのシートＰ上に載置した状態において、図４−１（ａ）又は（ｃ）に示すように、第１の取手ベルト２でもってシートＰを介して洗濯機Ａを持ち上げる。このとき、取手ベルト２への手の掛け方は、図８に示すように、まず、取手ベルト２に手を入れ（同図（ａ））、その手の甲に巻き付けると共に上その巻き付けた部分から前記シート本体に固定された部分までを手で握る（同図（ｂ）、（ｄ））。この握り状態は、荷重が手の甲で支えられて容易に抜けでないとともに、安定した持ち上げ状態となる。
【００２２】
つぎに、図４−１（ｂ）、（ｄ）に示すように、腕を縮める（折る）等して持ち上げる。このとき、図４−１（ｄ）、図４−２（ｅ）に示すように、適宜に、第２の取手ベルト３でもって持ち上げる。第１、第２の取手ベルト２、３がそれぞれ２対あるため、第１の取手ベルト２同士による場合（図４−１（ｃ））、第２の取手ベルト３同士による場合（図４−２（ｅ））、第１と第２の取手ベルト２、３による場合（図４−１（ｄ））の三通りの持ち上げ態様を選択できる。このため、運搬態様や運搬場所に適宜に対応させてその持ち上げ態様を選択する。
【００２３】
その第２の取手ベルト３を使用する際、第２の取手ベルト３から第１の取手ベルト２までのシート本体部分１’が邪魔になるため、図４−２（ｇ）に示すように、作業者側にその部分を納めるのではなく、同図（ｈ）に示すように、洗濯機Ａ側に納める。
この運搬時、図４−２（ｈ）、図８（ｃ）に示すように、取手ベルト２の巻き付けた部分からシート本体１への固定部分までの握りを離しても、手の甲で荷重を受けることができ、握力による吊り下げでないため、安心して搬送に集中できる。また、その開いた手を壁等に当てて一時的な支えを行うことができる。
なお、この運搬態様では、洗濯機Ａの前後で持ち上げたが、両側面で持ち上げることもできる。
【００２４】
図５−１〜同３はマッサージ機Ｂの運搬態様を示し、マッサージ機Ｂは、通常、その取扱説明書によると、水平移動の方法しか記載されていない。これは、一階に置かれることを前提としているためと考えるが、現実的には、２階に設置する場合もあり、その場合は階段を持ち昇ることとなる。また、マッサージ機Ｂは、通常、脚部分は固定し得ず、上下に揺動可能である（ブラブラした状態である）。このため、マッサージ機Ｂそれ自体の前後を持って運搬することは困難である。
【００２５】
このようなマッサージ機Ｂにおいては、図５−１（ａ）に示すように、このシートＰにマッサージ機Ｂを水平状態で置き、同図（ｂ）、（ｃ）に示すように、持ち上げることができる。この状態は、シートＰによってマッサージ機Ｂ全体がくるまれた状態であり、その安全性が高いものといえる。このため、図５−２（ｄ）に示す部屋への入口、同図（ｅ）に示す狭い廊下、同図（ｆ）、（ｇ）に示す階段においても安定して運搬することができる。また、図５−３（ｈ）〜（ｋ）に示すように、狭い廊下や階段においては、マッサージ機Ｂを横置きにして運搬することもできる。
【００２６】
図６は冷蔵庫Ｃの運搬態様を示し、冷蔵庫Ｃは、通常、狭い所では、立てた状態で運搬し、従来では、冷蔵庫Ｃ全体を養生シートでくるみ、その底面に吊り下げベルトを掛け渡して持ち上げる等していたが、その運搬態様は不安定であった。また、前記養生に時間がかかり、作業性も悪かった。
【００２７】
このような冷蔵庫Ｃにおいては、図６（ａ）に示すように、このシートＰに冷蔵庫Ｃを縦置き態で置く。このとき、同図に示すように、シートＰの上部全周をベルト１０で固定することが好ましい。
この状態で、同図（ｃ）〜（ｆ）に示すように、持ち上げ、廊下や部屋の入口を通る。
【００２８】
図７はブラウン管テレビジョンＤの運搬態様である。アナログ放送は、平成２３年７月２４日に終了したが、ケーブルテレビを視聴している所では、ほぼ平成２７年３月末まではアナログ放送が視聴可能である。このため、その３月末近くになると、アナログ放送受信のブラウン管テレビジョンＤは取り替え廃棄処分とされる場合が多く、大型の物にあっては、その運搬が容易ではない。このため、図７に示すように、上記と同様に、ブラウン管テレビジョンＤをこの運搬用シートＰによって持ち上げて運搬する。このとき、同図に示すように、重いブラウン管側をこの運搬用シートＰ側とすれば、そのブラウン管面が突起７を有するノンスリップ面（表面１ａ）に接して滑りが有効に防止されるとともに両側の作業員の持ち上げ力がほぼ均等になり、安定した運搬をすることができる。
【００２９】
上記各実施形態の運搬態様は、家庭電化製品の一部であったが、他の家庭電化製品であっても、同様に、この運搬用シートＰによって運搬可能であり、また、家具等においてもこの考案に係わる運搬用シートＰでもって運搬できることは云うまでもない。これらの家庭電化製品を含めた各運搬作用において、この運搬用シートＰは、上記のようにそのシート本体１が従来の養生シートと同様の生地からなっているため、養生シートの代わりとし得るとともに、養生シートに重ねれば、その養生層を厚くし得て、床の損傷をより効果的に防ぐことができる。
【００３０】
第２の取手ベルト３の内側の両側（シート本体１の両長辺）にはさらに第３、第４、第５・・の取手ベルトを所要間隔で設けることもできる。このように多くの取手ベルトを設ければ、被運搬物の大きさに応じて、その各取手ベルトを適宜に選択し、その選択した取手ベルトの数に応じた人数でもって、この運搬用シートＰを介してその被運搬物を持ち上げ・運搬することができる。また、多くの人でもって運搬できることができることから、例えば、災害時や山岳等の地盤が不安定な状況下においても、人海戦術によって家庭電化製品等のみならず、ストレッチャー代わりの人名救助具としたり、医療用品や食料品等の多量運搬具としたりすることができる。このとき、シート本体１の長辺側の各取手ベルト２、３に棒を通すと、シート本体１の前後（短辺側）でその両側の棒の端を持つことによって担架のようにして運ぶことができる。また、同長辺側の各取手ベルト２、３に紐を通したものとすれば、徳用袋状の吊り袋具とし得る。
【００３１】
なお、この運搬用シートＰをなす生地１ａ、１ｂ、取手ベルト２、３等の材質も上記の物に特定されず、その作用を担保できる限りにおいて任意であることは勿論である。
以上のように、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００３２】
Ｐ  運搬用シート
Ａ  洗濯機
Ｂ  マッサージ機
Ｃ  冷蔵庫
Ｄ  ブラウン管テレビジョン
１  シート本体
１ａ  シート本体の表地
１ｂ  同裏地
１ｃ  同綿状介在物
２  第１の取手ベルト
３  第２の取手ベルト
４  キルティング
５  縁布
６  縁ベルト
７  滑り止め突起
【図２】
0003191968.tif 000003
【図７】
0003191968.tif 000004
【図１】
0003191968.tif 000005
【図３】
0003191968.tif 000006
【図４−１】
0003191968.tif 000007
【図４−２】
0003191968.tif 000008
【図５−１】
0003191968.tif 000009
【図５−２】
0003191968.tif 000010
【図５−３】
0003191968.tif 000011
【図６】
0003191968.tif 000012
【図８】
0003191968.tif 000013
【手続補正書】
【提出日】平成26年5月20日(2014.5.20)
【手続補正１】
【補正対象書類名】実用新案登録請求の範囲
【補正対象項目名】全文
【補正方法】変更
【補正の内容】
【実用新案登録請求の範囲】
【請求項１】
長方形のシート本体（１）と、その四隅に設けた第１のループ状取手ベルト（２）と、その第１の各取手ベルト（２）から所要距離内側の前記シート本体（１）の長辺側縁にそれぞれ設けられた第２のループ状取手ベルト（３）とからなり、
上記シート本体（１）の家庭電化製品等の載置面は、樹脂製の滑り止め突起（７）が無数に設けられており、上記各取手ベルト（２、３）は、手を入れてその手の甲に巻き付けると共にその巻き付けた部分から前記シート本体（１）に固定された部分までを前記手で握ることができる長さとなっていることを特徴とする家庭電化製品等の運搬用シート。
【請求項２】
上記シート本体（１）の四辺には、上記取手ベルト（２）と同質のベルト（６）が全長に亘って連続的に縫合され、その縁ベルト（６）に、上記各取手ベルト（２、３）が縫合によって固定されていることを特徴とする請求項１に記載の家庭電化製品等の運搬用シート。
【請求項３】
上記各取手ベルト（２、３）は、その端をクロスしてシート本体（１）の縁に固定されていることを特徴とする請求項１又は２に記載の家庭電化製品等の運搬用シート。
【請求項４】
上記シート本体（１）は、横幅：７００ｍｍ、縦幅：１８００ｍｍであることを特徴とする請求項１〜３の何れか１つに記載の家庭電化製品運搬用シート。
【手続補正２】
【補正対象書類名】明細書
【補正対象項目名】０００２
【補正方法】変更
【補正の内容】
【０００２】
テレビジョン、冷蔵庫、洗濯機等の家庭電化製品や家具等は、その運搬や家屋への搬入時等においては、その周りを養生シートで覆い、各製品の取手穴に手を掛けたり、その下部の角を持ったりして運搬するのが一般的である（特許文献２、第９図参照）。
しかし、それらは重量物であるため、その養生（運搬）シートに、ショルダーベルトを設け、そのベルト（以下、適宜に「バンド」とも言う。）を肩掛けしたり（特許文献１、第２図、特許文献２、図４、特許文献３〜５参照）、さらに、養生シートの長辺の取手バンドに補助者が手を掛けたりしている（特許文献１、特許文献４，特許文献５参照）。
【手続補正３】
【補正対象書類名】明細書
【補正対象項目名】００１８
【補正方法】変更
【補正の内容】
【００１８】
取手ベルト２、３は、ポリエステル撚糸をシートベルト状に織ったものであり、その端をクロスしてシート本体１の縁に固定されている（図１（ｂ）、図３参照）。その固定は、井（イガタ）形状４ａに縫合することによっているため、強固なものとなっている。特に、第１の取手ベルト２は、その両端をクロスさせそれぞれシート本体１の辺に沿う方向に向かせてシート本体２の隅に井形状４ａに縫合しているため（図３）、この第１の取手ベルト２でもって家庭電化製品等を持ち上げた際、その持ち上げ力がシート本体１の辺に沿って働くため、その持ち上げ状態が安定する。
また、取手ベルト２、３は、手を入れてその手の甲に巻き付けると共にその巻き付けた部分から前記シート本体１に固定された部分までを手で握ることができる長さとしている（図３、図８参照）。この実施形態では、シート本体１への縫合部分を除いたループ長を約３０ｃｍとした。
【手続補正４】
【補正対象書類名】図面
【補正対象項目名】図４−１
【補正方法】変更
【補正の内容】
【図４−１】
0003191968.tif 000014
【手続補正５】
【補正対象書類名】図面
【補正対象項目名】図４−２
【補正方法】変更
【補正の内容】
【図４−２】
0003191968.tif 000015
【手続補正６】
【補正対象書類名】図面
【補正対象項目名】図５−１
【補正方法】変更
【補正の内容】
【図５−１】
0003191968.tif 000016
【手続補正７】
【補正対象書類名】図面
【補正対象項目名】図５−２
【補正方法】変更
【補正の内容】
【図５−２】
0003191968.tif 000017
【手続補正８】
【補正対象書類名】図面
【補正対象項目名】図５−３
【補正方法】変更
【補正の内容】
【図５−３】
0003191968.tif 000018
【手続補正９】
【補正対象書類名】図面
【補正対象項目名】図６
【補正方法】変更
【補正の内容】
【図６】
0003191968.tif 000019
【手続補正１０】
【補正対象書類名】図面
【補正対象項目名】図８
【補正方法】変更
【補正の内容】
【図８】
0003191968.tif 000020